(57)【特許請求の範囲】
【請求項１】
基地局装置が共有チャネルで１または複数の通信相手にパケットデータを送信するスケジュールを作成するスケジューリング装置であって、伝播路環境の変化を検出する検出手段と、前記伝播路環境の変化に基づいて伝播路環境の変化の早い通信相手に先にパケットデータを送信し、伝播路環境の変化の遅い通信相手に後にパケットデータを送信するようにパケットデータの送信順序を決定するスケジューリング手段と、を具備することを特徴とするスケジューリング装置。
【請求項２】
スケジューリング手段は、伝播路環境から再送するパケットデータの送信順序を決定することを特徴とする請求項１に記載のスケジューリング装置。
【請求項３】
スケジューリング手段は、再送するパケットデータを規定時間以内に送信するパケットデータの送信順序を決定することを特徴とする請求項２に記載のスケジューリング装置。
【請求項４】
スケジューリング手段は、伝播路環境の変化が所定の速度より速い場合、パケットデータの送信順序の決定に伝播路環境の変化を考慮しないことを特徴とする請求項１から請求項３のいずれかに記載のスケジューリング装置。
【請求項５】
検出手段は、フェージングドップラー周波数を測定して伝播路環境の変化を検出することを特徴とする請求項１から請求項４のいずれかに記載のスケジューリング装置。
【請求項６】
検出手段は、通信相手から送信された信号の受信品質の変化を測定して伝播路環境の変化を検出することを特徴とする請求項１から請求項５のいずれかに記載のスケジューリング装置。
【請求項７】
請求項１から請求項６のいずれかに記載のスケジューリング装置を具備する制御局装置。
【請求項８】
請求項１から請求項６のいずれかに記載のスケジューリング装置を具備する基地局装置。
【請求項９】
請求項１から請求項６のいずれかに記載のスケジューリング装置を具備する通信システム。
【請求項１０】
基地局装置が共有チャネルで１または複数の通信相手にパケットデータを送信するスケジュールを作成するスケジュール作成方法であって、伝播路環境の変化を検出し、前記伝播路環境の変化に基づいて伝播路環境の変化の早い通信相手に先にパケットデータを送信し、伝播路環境の変化の遅い通信相手に後にパケットデータを送信するようにパケットデータの送信順序を決定し、前記送信順序でパケットデータを送信することを特徴とする通信方法。
【発明の詳細な説明】
【０００１】
【発明の属する技術分野】
本発明は、スケジューリング装置及び通信方法に関し、特にＨＳＤＰＡ（Ｈｉｇｈ  Ｓｐｅｅｄ    Ｄｏｗｎｌｉｎｋ    Ｐａｃｋｅｔ    Ａｃｃｅｓｓ）に用いて好適なスケジューリング装置及び通信方法に関する。
【０００２】
【従来の技術】
ディジタル無線通信システムのアクセス方式の一つであるＣＤＭＡ（Ｃｏｄｅ  Ｄｉｖｉｓｉｏｎ  Ｍｕｌｔｉｐｌｅ  Ａｃｃｅｓｓ）において、Ｗ−ＣＤＭＡ（Ｗｉｄｅｂａｎｄ−ＣＤＭＡ）システムがある。このＷ−ＣＤＭＡの規格においては、複数の通信端末装置が共通に用いる下り回線のチャネルとしてＨＳ−ＤＳＣＨ（Ｈｉｇｈ  Ｓｐｅｅｄ  Ｄｏｗｎｌｉｎｋ    Ｓｈａｒｅｄ    ＣＨａｎｎｅｌ）が規定されている。
【０００３】
このＨＳ−ＤＳＣＨは、複数の端末に所定の伝送単位（例えば２ｍｓ単位）で割り当ててデータのみを伝送するチャネルであり、データ通信を行うチャネルである。したがって、ＨＳ−ＤＳＣＨは、下り高速パケットデータ伝送への利用が期待されている。
【０００４】
ＨＳ−ＤＳＣＨを使用する通信端末装置は、別途個別の下り回線（ＤＰＣＨ：Ｄｅｄｉｃａｔｅｄ    Ｐｈｙｓｉｃａｌ    ＣＨａｎｎｅｌ）を確立し、そのＤＰＣＨの信号に含まれる既知信号（例えばパイロット信号）を用いてパスサーチやチャネル推定を行う。あるいは、各通信端末装置に共通であるＰ−ＣＰＩＣＨ（Ｐｒｉｍａｒｙ−Ｃｏｍｍｏｎ  ＰＩｌｏｔ    ＣＨａｎｎｅｌ）の既知信号を用いてパスサーチやチャネル推定を行う。これにより、ＨＳ−ＤＳＣＨ信号を確実に復調することができる。
【０００５】
また、ＨＳ−ＤＳＣＨは、回線状態に応じてチャネルコーデック、拡散率、多重数、または（多値）変調を変更して伝送レートを変更することにより平均スループットを向上させることの出来る通信方法である。
【０００６】
【発明が解決しようとする課題】
しかしながら、通信相手の移動速度が速い等、フェージングの最大ドップラー周波数が高い場合、送信データのスケジュール作成のために移動する通信端末装置において伝播路環境を測定した時と、その測定結果に基づいて、基地局装置から送信したデータを移動する通信端末装置において受信した時では伝播路環境が異なり、この送信データを正しく受信できないことがある。
【０００７】
また、フェージングドップラー周波数が低く、伝播路環境が悪い状態から変化していない時に、送信データを再送すると、再び送信データを正しく伝えることができず、送信データの再送を繰り返すことになり、スループットが低下する問題がある。
【０００８】
本発明はかかる点に鑑みてなされたものであり、スループットを向上するスケジューリング装置及び通信方法を提供することを目的とする。
【０００９】
【課題を解決するための手段】
本発明のスケジューリング装置は、基地局装置が共有チャネルで１または複数の通信相手にパケットデータを送信するスケジュールを作成するスケジューリング装置であって、伝播路環境の変化を検出する検出手段と、前記伝播路環境の変化に基づいて伝播路環境の変化の早い通信相手に先にパケットデータを送信し、伝播路環境の変化の遅い通信相手に後にパケットデータを送信するようにパケットデータの送信順序を決定するスケジューリング手段と、を具備する構成を採る。
【００１０】
この構成によれば、フェージングドップラー周波数が高い通信端末装置宛に先にデータを送信し、フェージングドップラー周波数が低い通信端末装置宛に後にデータを送信することにより、スループットを向上することができる。
【００１１】
本発明のスケジューリング装置は、スケジューリング手段は、伝播路環境から再送するパケットデータの送信順序を決定する構成を採る。
【００１２】
この構成によれば、フェージングドップラー周波数が高い通信端末装置宛に再送するデータを先に送信し、フェージングドップラー周波数が低い通信端末装置宛に再送するデータを後に送信することにより、スループットを向上することができる。
【００１３】
本発明のスケジューリング装置は、スケジューリング手段は、再送するパケットデータを規定時間以内に送信するパケットデータの送信順序を決定する構成を採る。
【００１４】
この構成によれば、パケット送信を所定の遅延時間以内に伝送することができる。
【００１７】
本発明のスケジューリング装置は、スケジューリング手段は、伝播路環境の変化が所定の速度より速い場合、パケットデータの送信順序の決定に伝播路環境の変化を考慮しない構成を採る。
【００１８】
この構成によれば、フェージングドップラー周波数が高く、伝播路環境の変化がデータの送信間隔より速い場合にフェージングドップラー周波数に関係なくデータ送信の順序を決定することにより、無駄に優先して、伝播路環境が悪いタイミングでデータを送信することを防ぎ、有効な場合にのみ送出順序を優先することでスループットを向上することができる。
【００１９】
本発明のスケジューリング装置は、検出手段は、フェージングドップラー周波数を測定して伝播路環境の変化を検出する構成を採る。
【００２０】
この構成によれば、フェージングドップラー周波数が高い通信端末装置宛に先にデータを送信し、フェージングドップラー周波数が低い通信端末装置宛に後にデータを送信することにより、スループットを向上することができる。
【００２１】
本発明のスケジューリング装置は、検出手段は、通信相手から送信された信号の受信品質の変化を測定して伝播路環境の変化を検出する構成を採る。
【００２２】
この構成によれば、信号の受信品質の変化を用いて送信のスケジュールを作成することにより、スループットを向上することができる。
【００２３】
本発明の制御局装置は、上記いずれかに記載のスケジューリング装置を具備する構成を採る。本発明の基地局装置は、上記いずれかに記載のスケジューリング装置を具備する構成を採る。本発明の通信システムは、上記いずれかに記載のスケジューリング装置を具備する構成を採る。
【００２４】
これらの構成によれば、フェージングドップラー周波数が高い通信端末装置宛に先にデータを送信し、フェージングドップラー周波数が低い通信端末装置宛に後にデータを送信することにより、スループットを向上することができる。
【００２５】
本発明の通信方法は、基地局装置が共有チャネルで１または複数の通信相手にパケットデータを送信するスケジュールを作成するスケジュール作成方法であって、伝播路環境の変化を検出し、前記伝播路環境の変化に基づいて伝播路環境の変化の早い通信相手に先にパケットデータを送信し、伝播路環境の変化の遅い通信相手に後にパケットデータを送信するようにパケットデータの送信順序を決定し、前記送信順序でパケットデータを送信するようにした。
【００２６】
この方法によれば、フェージングドップラー周波数が高い通信端末装置宛に先にデータを送信し、フェージングドップラー周波数が低い通信端末装置宛に後にデータを送信することにより、スループットを向上することができる。
【００２７】
【発明の実施の形態】
本発明の骨子は、伝播路環境の変化に基づいてパケットデータの送信順序を決定すること、具体的には、伝播路環境の変化の早い通信相手に先にパケットデータを送信し、伝播路環境の変化の遅い通信相手に後にパケットデータを送信することである。
【００２８】
以下、本発明の実施の形態について図面を参照して詳細に説明する。
（実施の形態１）
本実施の形態では、フェージングドップラー周波数を測定し、このフェージングドップラー周波数から伝播路環境の変化の早さを検出して、パケットデータの送信順序を決定する。例えば、通信相手との相対距離の変化が大きい場合、すなわちフェージングドップラー周波数が高い場合、伝播路環境の変化が大きく、パケットデータを早くに送信し、送信条件を決定した後、伝播路環境が変化しないうちに送信する。
【００２９】
また、通信相手との相対距離の変化が小さい場合、すなわちフェージングドップラー周波数が低い場合、伝播路環境が小さいので、先からパケットデータを送信しても後からパケットデータを送信しても受信側での影響は少ない。
【００３０】
図１は、本発明の実施の形態１に係る基地局装置の構成を示すブロック図である。図１において、基地局装置１００は、無線受信部１０１と、復調部１０２と、復号化部１０３と、ｆＤ検出部１０４と、スケジュール作成部１０５と、バッファ１０６と、スイッチ回路１０７と、多重化部１０８と、符号化部１０９と、変調部１１０と、無線送信部１１１とから主に構成される。
【００３１】
無線受信部１０１は、通信相手から送信された無線信号を受信し、ベースバンド周波数に変換し、得られた受信信号を復調部１０２に出力する。復調部１０２は、受信信号を復調して復号化部１０３に出力する。復号化部１０３は、受信信号を復号化してｆＤ検出部１０４に出力する。
【００３２】
ｆＤ検出部１０４は、受信信号から最大ドップラー周波数を検出し、スケジュール作成部１０５に出力する。
【００３３】
スケジュール作成部１０５は、ｆＤ検出部１０４において検出された最大ドップラー周波数から各ユーザにパケットデータを送信する時間（順番）を決定し、このパケットデータを送信する時間を示すスケジュール情報をスイッチ回路１０７と多重化部１０８とに出力する。
【００３４】
バッファ１０６は、各ユーザに共通チャネルで送信するパケットデータを一時的に記憶し、スイッチ回路１０７に出力する。スイッチ回路１０７は、スケジュール作成部１０５において作成されたスケジュールに従い、各ユーザに送信するパケットデータを順に符号化部１０９に出力する。
【００３５】
多重化部１０８は、スケジュール作成部１０５から出力されたパケットデータを送信するスケジュールと、共通チャネルで送信するパケットデータの伝送に必要な制御データとを多重化して符号化部１０９に出力する。
【００３６】
例えば、複数ユーザのパケットデータを時間多重して伝送する場合、パケットデータの電送に使用するＨＳ−ＤＳＣＨに加えて、その伝送に必要な制御データを伝送するための上下回線のチャネルとして、Ａｓｓｏｃｉａｔｅｄ  ＤＰＣＨを必要とする。
【００３７】
符号化部１０９は、スイッチ回路１０７から出力されたパケットデータと、多重化部から出力されたデータをそれぞれ符号化して変調部１１０に出力する。同様に、符号化部１０９は、個別チャネルを用いて送信する音声データ、非制限データ、及びパケットデータ等の個別データと、共通制御データとをそれぞれ符号化して変調部に出力する。
【００３８】
変調部１１０は、符号化部１０９から出力されたデータをそれぞれ変調、拡散し、データを多重して無線送信部１１１に出力する。無線送信部１１１は、変調部１１０から出力されたデータを無線周波数に周波数変換して無線信号として送信する。
【００３９】
次に、本実施の形態に係る基地局装置のスケジュール作成の動作について説明する。図２は、本実施の形態の基地局装置におけるデータ送信順序の優先度の一例を示す図である。図２において、優先度は、ＣＩＲ等伝播路環境を示す値から決定される。例えば、ＵＥ１宛に送信するデータの優先度は、「１０」、ＵＥ２の優先度は「９」、ＵＥ３の優先度は「８」、そしてＵＥ４の優先度は「７」とする。
【００４０】
従来の基地局装置の場合、上記優先度の高い順ＵＥ１、ＵＥ２、ＵＥ３、ＵＥ４にデータを送信する。本実施の形態の基地局装置は、この優先度にフェージングドップラー周波数から得られる補正値を加える。そして基地局装置は、補正後の優先度が高い順に、通信端末装置にデータを送信する。
【００４１】
例えば、基地局装置のｆＤ検出部１０４が、各ＵＥのフェージングドップラー周波数を測定した結果、ＵＥ１のフェージングドップラー周波数が３０Ｈｚ、ＵＥ２のフェージングドップラー周波数が２００Ｈｚ、ＵＥ３のフェージングドップラー周波数が１００Ｈｚ、ＵＥ４のフェージングドップラー周波数が３００Ｈｚとする。
【００４２】
スケジュール作成部１０５は、上記フェージングドップラー周波数に「０．０１」を乗算した値を優先度の補正値とする。ＵＥ１の補正値は「０．３」、ＵＥ２の補正値は「２」、ＵＥ３の補正値は「１」、ＵＥ４の補正値は「３」となる。スケジュール作成部１０５は、これらの補正値をそれぞれ優先度に加え、補正後の優先度が高い通信端末装置からデータを送信するスケジュールを作成する。
【００４３】
この例では、ＵＥ１の補正後の優先度は、「１０．３」、ＵＥ２の補正後の優先度は、「１１」、ＵＥ３の補正後の優先度は、「９」、ＵＥ４の補正後の優先度は、「１０」となる。
【００４４】
そして、スケジュール作成部１０５は、補正後の優先度が高い順、すなわちＵＥ２、ＵＥ１、ＵＥ４、ＵＥ３の順にデータを送信するスケジュールを作成する。
【００４５】
このように、本実施の形態の基地局装置によれば、フェージングドップラー周波数が高い通信端末装置宛に先にデータを送信し、フェージングドップラー周波数が低い通信端末装置宛に後にデータを送信することにより、スループットを向上することができる。
【００４６】
（実施の形態２）
無線通信では、送信データを最初に送信した時と、再送する時では、伝播路環境が異なることにより、同じ通信方式で再送しても正しく送信データを伝送できないことがある。正しく送信データを伝送するために、送信データの変調方式および符号化率を変更して再送する方法が考えられるが、再送時に送信データを再び符号化する必要があるため、処理量の増加および遅延時間の増加によるスループット低下が起こる。
【００４７】
本実施の形態の発明では、再送時に送信データの変調方式および符号化率を変更せずに、フェージングドップラー周波数を測定し、フェージングドップラー周波数から伝播路環境の変化を考慮してデータを送信するスケジュールを作成する。
【００４８】
図３は、本発明の実施の形態２に係る基地局装置の構成を示すブロック図である。但し、図１と同一の構成となるものについては、図１と同一番号を付し、詳しい説明を省略する。図３の基地局装置３００は、ＮＡＣＫ抽出部３０１と、スケジュール作成部３０２とを具備し、再送するデータを含めた送信のスケジュールを作成する点が図１の基地局装置と異なる。
【００４９】
復号化部１０３は、受信信号を復号化してｆＤ検出部１０４とＮＡＣＫ抽出部３０１とに出力する。
【００５０】
ｆＤ検出部１０４は、受信信号から最大ドップラー周波数を検出し、スケジュール作成部３０２に出力する。ＮＡＣＫ抽出部３０１は、受信信号に送信データの再送を要求するＮＡＣＫ信号を抽出する。ＮＡＣＫ信号が検出された場合、ＮＡＣＫ抽出部３０１は、送信データの再送要求をスケジュール作成部３０２に出力する。
【００５１】
スケジュール作成部３０２は、ｆＤ検出部１０４において検出された最大ドップラー周波数から各ユーザにパケットデータを送信する時間（順番）を決定し、このパケットデータを送信する時間を示すスケジュール情報をスイッチ回路１０７と多重化部１０８とに出力する。また、ＮＡＣＫ抽出部３０１から送信データの再送要求を受けた場合、スケジュール作成部３０２は、再送する送信データを含めて最大ドップラー周波数から各ユーザにパケットデータを送信する時間（順番）を決定し、このパケットデータを送信する時間を示すスケジュール情報をスイッチ回路１０７と多重化部１０８とに出力する。
【００５２】
バッファ１０６は、各ユーザに共通チャネルで送信するパケットデータを一時的に記憶し、スイッチ回路１０７に出力する。スイッチ回路１０７は、スケジュール作成部３０２において作成されたスケジュールに従い、各ユーザに送信するパケットデータを順に符号化部１０９に出力する。
【００５３】
次に、本実施の形態に係る基地局装置のスケジュール作成の動作について説明する。図４は、従来の基地局装置におけるデータ送信順序の優先度の一例を示す図である。図４において、優先度は、ＣＩＲ等伝播路環境を示す値から決定される。例えば、ＵＥ１宛に送信するデータの優先度は、「８」、ＵＥ２の優先度は「９」、ＵＥ３の優先度は「１０」、そしてＵＥ４の優先度は「７」とする。また、ＵＥ１のデータは、再送するデータとする。
【００５４】
従来の基地局装置の場合、再送するＵＥ１の優先度を補正し、補正した優先度の高い順にデータを通信端末装置に送信する。例えば、データを再送するＵＥ１の優先度「８」に補正値「１．５」を加え、ＵＥ１の優先度を「９．５」とする。そして、補正した優先度の高い順ＵＥ３、ＵＥ１、ＵＥ２、ＵＥ４にデータを送信する。
【００５５】
本実施の形態の基地局装置は、この再送の補正値にフェージングドップラー周波数から得られる補正を乗算して、優先度を補正し、補正後の優先度が高い順に、通信端末装置にデータを送信する。
【００５６】
まず、再送するＵＥのフェージングドップラー周波数が低い場合の例について説明する。図５は、本実施の形態の基地局装置におけるデータ送信順序の優先度の一例を示す図である。図５では、ＵＥ１のフェージングドップラー周波数が３０Ｈｚの場合の優先度の例を示す。
【００５７】
スケジュール作成部３０２は、フェージングドップラー周波数に「０．０１」を乗算した値を再送する通信端末装置宛の補正値「１．５」に乗算して補正値とする。そして、スケジュール作成部３０２は、得られた補正値を再送する通信端末装置ＵＥ１の優先度に加える。この場合、フェージングドップラー周波数「３０」に「０．０１」を乗算した値「０．３」が再送時の補正値「１．５」に乗算され、補正値「０．４５」が得られる。
【００５８】
そして、スケジュール作成部３０２は、ＵＥ１の優先度「８」に補正値「０．４５」を加える。この結果、ＵＥ１の優先度は、「８．４５」になる。
【００５９】
スケジュール作成部３０２は、補正後の優先度が高い通信端末装置からデータを送信するスケジュールを作成する。この例では、ＵＥ１の補正後の優先度は、「８．４５」、ＵＥ２の補正後の優先度は、「９」、ＵＥ３の補正後の優先度は、「１０」、ＵＥ４の補正後の優先度は、「７」となる。
【００６０】
そして、スケジュール作成部３０２は、補正後の優先度が高い順、すなわちＵＥ３、ＵＥ２、ＵＥ１、ＵＥ４の順にデータを送信するスケジュールを作成する。
【００６１】
このように、フェージングドップラー周波数が低い場合、伝播路環境の変化が緩やかであるが、再送時の優先度補正を低くして、再送時の順序を遅い時刻とすることにより、伝播路環境が充分に良化すると考えられるタイミングでデータを再送することができる。この結果、再送するデータが正しく受信される可能性が上がる。
【００６２】
次に、再送するＵＥのフェージングドップラー周波数が高い場合の例について説明する。図６は、本実施の形態の基地局装置におけるデータ送信順序の優先度の一例を示す図である。図６では、ＵＥ１のフェージングドップラー周波数が３００Ｈｚの場合の優先度の例を示す。
【００６３】
スケジュール作成部３０２は、フェージングドップラー周波数に「０．０１」を乗算した値を再送する通信端末装置宛の補正値「１．５」に乗算して補正値とする。そして、スケジュール作成部３０２は、得られた補正値を再送する通信端末装置ＵＥ１の優先度に加える。この場合、フェージングドップラー周波数「３００」に「０．０１」を乗算した値「３」が再送時の補正値「１．５」に乗算され、補正値「４．５」が得られる。
【００６４】
そしてスケジュール作成部３０２は、ＵＥ１の優先度「８」に補正値「４．５」を加える。この結果、ＵＥ１の優先度は、「１２．５」になる。
【００６５】
スケジュール作成部３０２は、補正後の優先度が高い通信端末装置からデータを送信するスケジュールを作成する。この例では、ＵＥ１の補正後の優先度は、「１２．５」、ＵＥ２の補正後の優先度は、「９」、ＵＥ３の補正後の優先度は、「１０」、ＵＥ４の補正後の優先度は、「７」となる。
【００６６】
そして、スケジュール作成部３０２は、補正後の優先度が高い順、すなわちＵＥ１、ＵＥ３、ＵＥ２、ＵＥ４の順にデータを送信するスケジュールを作成する。
【００６７】
このように、フェージングドップラー周波数が高い場合、伝播路環境の変化が速やかであるが、再送時の優先度補正を高くして、再送時の順序を早い時刻とすることにより、伝播路環境が速やかに良化したタイミングでデータを再送することができる。この結果、再送するデータが正しく受信される可能性が上がる。
【００６８】
また、フェージングドップラー周波数が低い人の優先度を下げた分、フェージングドップラー周波数の高い人を優先して送ることができる、すなわち遅延時間を小さくして再送できるため、再送時に変調方式や符号化率を変えることなく、受信確率を上げることができ、スループットを向上させることができる。
【００６９】
このように、本実施の形態の基地局装置によれば、フェージングドップラー周波数が高い通信端末装置宛に再送するデータを先に送信し、フェージングドップラー周波数が低い通信端末装置宛に再送するデータを後に送信することにより、スループットを向上することができる。
【００７０】
なお、再送するパケットについて遅延可能な時間が設定されている場合、本発明の基地局装置は、最初にパケットを送信した時刻から、この遅延可能な時間までにパケットを再送するスケジュールを作成し、パケット送信を所定の遅延時間以内に伝送する。
【００７１】
（実施の形態３）
図７は、本発明の実施の形態３に係る基地局装置の構成を示すブロック図である。但し、図１及び図３と同一の構成となるものについては、図１及び図３と同一番号を付し、詳しい説明を省略する。図７の基地局装置７００は、ＣＩＲ測定部７０１と、スケジュール作成部７０２とを具備し、信号の受信品質の変化を用いて送信のスケジュールを作成する点が図１の基地局装置と異なる。
【００７２】
復号化部１０３は、受信信号を復号化してｆＤ検出部１０４とＮＡＣＫ抽出部３０１とＣＩＲ測定部７０１とに出力する。ｆＤ検出部１０４は、受信信号から最大ドップラー周波数を検出し、スケジュール作成部７０２に出力する。ＮＡＣＫ抽出部３０１は、受信信号に送信データの再送を要求するＮＡＣＫ信号を抽出する。ＮＡＣＫ信号信号が検出された場合、ＮＡＣＫ抽出部３０１は、送信データの再送要求をスケジュール作成部７０２に出力する。
【００７３】
ＣＩＲ測定部７０１は、受信信号の受信品質、例えばＣＩＲを測定し、測定した結果をスケジュール作成部７０２に出力する。
【００７４】
スケジュール作成部７０２は、ｆＤ検出部１０４において検出された最大ドップラー周波数とＣＩＲ測定部７０１において測定された受信品質から各ユーザにパケットデータを送信する時間（順番）を決定し、このパケットデータを送信する時間を示すスケジュール情報をスイッチ回路１０７と多重化部１０８とに出力する。また、ＮＡＣＫ抽出部３０１から送信データの再送要求を受けた場合、スケジュール作成部７０２は、再送する送信データを含めて最大ドップラー周波数から各ユーザにパケットデータを送信する時間（順番）を決定し、このパケットデータを送信する時間を示すスケジュール情報をスイッチ回路１０７と多重化部１０８とに出力する。
【００７５】
バッファ１０６は、各ユーザに共通チャネルで送信するパケットデータを一時的に記憶し、スイッチ回路１０７に出力する。スイッチ回路１０７は、スケジュール作成部７０２において作成されたスケジュールに従い、各ユーザに送信するパケットデータを順に符号化部１０９に出力する。
【００７６】
次に、本実施の形態に係る基地局装置のスケジュール作成の動作について説明する。本実施の形態の基地局装置７００では、ＣＩＲ測定部７０１において受信信号のＣＩＲを測定し、スケジュール作成部７０２は、ＣＩＲの変化量を用いて優先度の補正を行う。ここでは、ＵＥ１、ＵＥ２、ＵＥ３、及びＵＥ４にパケットデータを送信し、ＵＥ４においてパケットデータが正しく受信されず、基地局装置７００がＵＥ４宛にパケットデータを再送する例について説明する。図８は、本実施の形態の基地局装置における受信品質の一例を示す図である。
【００７７】
図８では、データを送信する時刻である送信タイミング１と、送信タイミング１の次に送信する時刻である送信タイミング２とにおいて、それぞれ送信方式の決定に用いる受信信号のＣＩＲを示す。図８において、送信タイミング１の時、ＵＥ１から送信された信号のＣＩＲは５ｄＢである。同様に、ＵＥ２、ＵＥ３、及びＵＥ４から送信された信号のＣＩＲは、それぞれ４ｄＢ、３ｄＢ、及び２ｄＢである。
【００７８】
そして、送信タイミング２の時、ＵＥ１から送信された信号のＣＩＲは６ｄＢである。同様に、ＵＥ２、ＵＥ３、及びＵＥ４から送信された信号のＣＩＲは、それぞれ７ｄＢ、６ｄＢ、及び２ｄＢである。
【００７９】
ＵＥ１について、送信タイミング１の時のＣＩＲと、送信タイミング２の時のＣＩＲの差は、１ｄＢとなる。同様にＵＥ２についてＣＩＲの差は、３ｄＢとなる。ＵＥ３についてＣＩＲの差は、３ｄＢとなる。そして、ＵＥ４についてＣＩＲの差は、０ｄＢとなる。
【００８０】
スケジュール作成部７０２は、再送するパケットデータについて、このＣＩＲの差を考慮して優先度を決定し、パケットデータの送信タイミングを決定する。図９は、本実施の形態の基地局装置におけるデータ送信順序の優先度の一例を示す図である。
【００８１】
スケジュール作成部７０２は、パケットデータを再送するＵＥ４について、図８のＣＩＲの差分から優先度の補正値を算出する。例えば、ＣＩＲの差分にフェージングドップラーによる補正値とのウェイト（例えば、０．７）を乗算し、さらに再送時の優先度として所定の値（例えば、１．５）を乗算した値を優先度の補正値とする。図９の例では、ＵＥ４のＣＩＲの差分は、０ｄＢなので、優先度の補正値は、「０」となる。
【００８２】
また、スケジュール作成部７０２は、フェージングドップラー周波数に所定の値を乗算した値を優先度の補正値として算出する。例えば、スケジュール作成部７０２は、フェージングドップラー周波数に「０．０１」を乗算した値を算出する。更に、スケジュール作成部７０２は、ＣＩＲの補正値とのウェイトを乗算結果に乗算する。たとえば、スケジュール作成部７０２は、０．３を乗算結果に乗算する。そして、再送時の優先度として所定の値（例えば、１．５）を乗算する。
【００８３】
ここで、ＵＥ４のフェージングドップラー周波数は、３００Ｈｚである。スケジュール作成部７０２は、このフェージングドップラー周波数に「０．０１」「０．３」「１．５」を乗算し、補正値「１．３５」を算出する。
【００８４】
そして、スケジュール作成部７０２は、ＵＥ４宛の優先度に、ＣＩＲの差分による補正と、フェージングドップラー周波数による補正とを加える。
【００８５】
図９では、ＵＥ１の優先度を「８」、ＵＥ２の優先度を「１２」、ＵＥ３の優先度を「１１」、ＵＥ４の優先度を「１０」である。スケジュール作成部７０２は、パケットデータを再送するＵＥ４宛の優先度「１０」に、補正値「０」と補正値「１．３５」を加える。この結果、ＵＥ４の優先度は「１１．３５」になる。
【００８６】
スケジュール作成部７０２は、補正後の優先度の高い順に各ＵＥ宛のパケットデータの送信する順序を決定する。ここでは、ＵＥ２、ＵＥ４、ＵＥ３、ＵＥ１の順にパケットデータを送信するスケジュールが作成される。
【００８７】
このように、本実施の形態の基地局装置によれば、信号の受信品質の変化を用いて送信のスケジュールを作成することにより、スループットを向上することができる。
【００８８】
（実施の形態４）
実施の形態２では、フェージングドップラー周波数が高い通信端末装置宛に再送するデータを先に送信し、フェージングドップラー周波数が低い通信端末装置宛に再送するデータを後に送信することにより、スループットを向上することとしている。
【００８９】
このフェージングドップラー周波数が更に高く、伝播路環境の変化の周期が送信単位時間より短い場合、フェージングドップラー周波数が高い通信端末装置宛に再送するデータを先に送信した時に伝播路環境が悪化している場合がある。
【００９０】
図１０は、伝播路環境の変化の一例を示す図である。図１０では、基地局装置（ＢＳ）は通信端末装置（ＭＳ）にデータを送信し、通信端末装置において受信したデータに誤りがあったとして、再送要求（ＮＡＣＫ）を送信する例について説明する。図１０の横軸は時間軸を示し、縦軸は、伝播路環境を示す。
【００９１】
図１０は、基地局装置において、データを送信し、再送するまでに最短で１０ｍｓの時間を要する場合の例を示している。フェージングドップラー周波数が低い場合（３Ｈｚ）、またはフェージングドップラー周波数が高い場合（４０Ｈｚ）、図１０のデータ送信タイミングで送信した時に伝播路環境が悪化する前にデータを送信することができる。
【００９２】
しかしながらフェージングドップラー周波数が非常に高い場合（２００Ｈｚ）、図１０のように最短の再送タイミングで送信した時においても伝播路環境が悪化することになる。
【００９３】
実施の形態４では、フェージングドップラー周波数が非常に高い場合のスケジュール作成について説明する。
【００９４】
図１１は、本発明の実施の形態４に係る基地局装置の構成を示すブロック図である。但し、図１と同一の構成となるものについては、図１と同一番号を付し、詳しい説明を省略する。図１１の基地局装置１１００は、ＮＡＣＫ抽出部１１０１と、スケジュール作成部１１０２とを具備し、フェージングドップラー周波数により再送するデータを速く送信するか否か判断してデータ送信のスケジュールを作成する点が図１の基地局装置と異なる。
【００９５】
復号化部１０３は、受信信号を復号化してｆＤ検出部１０４とＮＡＣＫ抽出部１１０１とに出力する。
【００９６】
ｆＤ検出部１０４は、受信信号から最大ドップラー周波数を検出し、スケジュール作成部１１０２に出力する。ＮＡＣＫ抽出部１１０１は、受信信号に送信データの再送を要求するＮＡＣＫ信号を抽出する。ＮＡＣＫ信号信号が検出された場合、ＮＡＣＫ抽出部１１０１は、送信データの再送要求をスケジュール作成部１１０２に出力する。
【００９７】
スケジュール作成部１１０２は、ｆＤ検出部１０４において検出された最大ドップラー周波数から各ユーザにパケットデータを送信する時間（順番）を決定し、このパケットデータを送信する時間を示すスケジュール情報をスイッチ回路１０７と多重化部１０８とに出力する。また、ＮＡＣＫ抽出部１１０１から送信データの再送要求を受けた場合、スケジュール作成部１１０２は、最大ドップラー周波数から送信データを再送する場合に、優先度を上げて先に送信するか否かを判定して、このパケットデータを送信する時間を示すスケジュール情報をスイッチ回路１０７と多重化部１０８とに出力する。
【００９８】
具体的には、スケジュール作成部１１０２は、例えばフェージングドップラーの周期が送信時と次回再送時の時間間隔より長い場合、フェージングドップラー周波数が大きくなるほど優先的に先に送信するスケジュールを作成する。例えば、フェージングドップラー周波数をｆＤ（Ｈｚ）とした場合に、１．５×ｆＤ×０．０１を優先度の補正値として加える。
【００９９】
また、スケジュール作成部１１０２は、例えばフェージングドップラーの周期が送信単位時間より短く、かつ送信時間の二分の一より長い場合、フェージングドップラー周波数が小さくなるほど優先的に先に送信するスケジュールを作成する。例えば、フェージングドップラー周波数をｆＤ（Ｈｚ）とした場合に、１．５−｛１．５×（ｆＤ−１００）×０．０１｝を優先度の補正値として加える。
【０１００】
そして、スケジュール作成部１１０２は、フェージングドップラーの周期が送信単位時間の二分の一より短い場合、フェージングドップラー周波数に基づく優先度の補正を行わない。
【０１０１】
バッファ１０６は、各ユーザに共通チャネルで送信するパケットデータを一時的に記憶し、スイッチ回路１０７に出力する。スイッチ回路１０７は、スケジュール作成部１１０２において作成されたスケジュールに従い、各ユーザに送信するパケットデータを順に符号化部１０９に出力する。
【０１０２】
次に、本実施の形態に係る基地局装置のスケジュール作成の動作について説明する。図１２は、本実施の形態の基地局装置におけるデータ送信順序の優先度の一例を示す図である。図１２において、優先度は、ＣＩＲ等伝播路環境を示す値から決定される。例えば、ＵＥ１宛に送信するデータの優先度は、「８」、ＵＥ２の優先度は「９」、ＵＥ３の優先度は「１０」、そしてＵＥ４の優先度は「７」とする。また、ＵＥ４のデータは、再送するデータとする。そして、ＵＥ１のフェージングドップラー周波数は３０Ｈｚ、ＵＥ２のフェージングドップラー周波数は２００Ｈｚ、ＵＥ３のフェージングドップラー周波数は１００Ｈｚ、ＵＥ４のフェージングドップラー周波数は３００Ｈｚとする。
【０１０３】
スケジュール作成部１１０２は、再送するデータを送信する通信端末装置のフェージングドップラー周波数から優先度を補正するか否か判定する。ここで、データを再送する宛先ＵＥ４のフェージングドップラー周波数は、３００Ｈｚである。スケジュール作成部１１０２は、フェージングドップラーの周期が送信単位時間の二分の一より短く、伝播路環境の変化が非常に速いと判断して、フェージングドップラー周波数によるスケジュール作成の優先度補正を行わない。
【０１０４】
この結果、スケジュール作成部１１０２は、ＵＥ３、ＵＥ２、ＵＥ１、ＵＥ４の順にパケットデータを送信するスケジュールを作成する。
【０１０５】
このの本実施の形態の基地局装置によれば、フェージングドップラー周波数が高く、伝播路環境の変化がデータの送信間隔より速い場合にフェージングドップラー周波数に関係なくデータ送信の順序を決定することにより、無駄に優先して、伝播路環境が悪いタイミングでデータを送信することを防ぎ、有効な場合にのみ送出順序を優先することでスループットを向上することができる。
【０１０６】
なお、本実施の形態では、伝播路状態（例：ＣＩＲ測定結果などで判定）が最良であるユーザを選択して送出するＭａｘ    ＣＩＲ方式等他のパケット割り当て方式を用いて説明しているがこれに限らず、パケットの割り当てにユーザ番号順に公平に割り当てるラウンドロビン方式を用いることもできる。
【０１０７】
なお、上記説明の共通チャネルは、複数の通信端末装置が共通して使用しパケットデータを受信する場合に使用するチャネルであれば特に限定されない。たとえば、ＤＳＣＨやＨＳＤＰＡに適用することもできる。
【０１０８】
また、上記説明のスケジュールを決定する部分は、基地局装置以外にも搭載することができ、共通チャネルを使ってパケットデータを送信する装置及び送信を制御する装置であれば、いずれにも適用できる。例えば、ＲＮＣ等の基地局装置より上位の装置に上記スケジュールを設定する構成を搭載し、パケットデータを送信する基地局装置にスケジュールを通知し、基地局装置においてこのスケジュールに従い各通信端末装置宛にパケットデータを送信することもできる。
【０１０９】
また、本発明は上記実施の形態に限定されず、種々変更して実施することが可能である。例えば、上記実施の形態では、基地局装置として行う場合について説明しているが、これに限られるものではなく、この通信方法をソフトウェアとして行うことも可能である。
【０１１０】
例えば、上記通信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ    Ｐｒｏｃｅｓｓｏｒ  Ｕｎｉｔ）によって動作させるようにしても良い。
【０１１１】
また、上記通信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  ｍｅｍｏｒｙ）に記録して、コンピュータをそのプログラムにしたがって動作させるようにしても良い。
【０１１２】
【発明の効果】
以上説明したように、本発明のスケジューリング装置及び通信方法によれば、伝播路環境の変化に基づいてパケットデータの送信順序を決定することにより、スループットを向上することができる。
【図面の簡単な説明】
【図１】本発明の実施の形態１に係る基地局装置の構成を示すブロック図
【図２】上記実施の形態の基地局装置におけるデータ送信順序の優先度の一例を示す図
【図３】本発明の実施の形態２に係る基地局装置の構成を示すブロック図
【図４】従来の基地局装置におけるデータ送信順序の優先度の一例を示す図
【図５】上記実施の形態の基地局装置におけるデータ送信順序の優先度の一例を示す図
【図６】上記実施の形態の基地局装置におけるデータ送信順序の優先度の一例を示す図
【図７】本発明の実施の形態３に係る基地局装置の構成を示すブロック図
【図８】上記実施の形態の基地局装置における受信品質の一例を示す図
【図９】本実施の形態の基地局装置におけるデータ送信順序の優先度の一例を示す図
【図１０】伝播路環境の変化の一例を示す図
【図１１】本発明の実施の形態４に係る基地局装置の構成を示すブロック図
【図１２】上記実施の形態の基地局装置におけるデータ送信順序の優先度の一例を示す図
【符号の説明】
１０１  無線受信部
１０２  復調部
１０３  復号化部
１０４  ｆＤ検出部
１０５、３０２、７０２、１１０２  スケジュール作成部
１０６  バッファ
１０７  スイッチ回路
１０８  多重化部
１０９  符号化部
１１０  変調部
１１１  無線送信部
３０１、１１０１  ＮＡＣＫ抽出部
７０１  ＣＩＲ測定部
【図１】
0003597516.tif 000002
【図２】
0003597516.tif 000003
【図３】
0003597516.tif 000004
【図４】
0003597516.tif 000005
【図５】
0003597516.tif 000006
【図６】
0003597516.tif 000007
【図７】
0003597516.tif 000008
【図８】
0003597516.tif 000009
【図９】
0003597516.tif 000010
【図１０】
0003597516.tif 000011
【図１１】
0003597516.tif 000012
【図１２】
0003597516.tif 000013